(57)【要約】【課題】遊技機枠の電気部品と遊技盤の電気部品との接続の正確化を図る。【解決手段】枠側ヒンジ２３と盤側ヒンジ４４とが互いに嵌め合わされ、遊技盤３５が遊技主体収納構造体６の方に枠側ヒンジ２３と盤側ヒンジ４４とを回転中心として移動し、遊技主体ロック部材２５のロック操作体２６が遊技盤３５の取付部４５のロック挿入孔５６を裏側から前側に通過した後に、人がロック操作体２６を９０度回転することによって、ロック操作体２６がロックロック操作体２６の周りの取付部４５に係合し、コネクタピン７８と電極４２とが互いに接続する。【選択図】図１
2005185447.tif 000002
【特許請求の範囲】
【請求項１】
電気部品を設けた遊技盤が、電気部品を設けた遊技機枠に取り付けられるパチンコ機において、遊技機枠における遊技主体収納構造体が左側に枠側ヒンジおよび枠側電気連結器を備えるとともに右側に遊技主体ロック部材を備え、遊技盤が左側に枠側ヒンジと嵌め合わされる盤側ヒンジおよび枠側電気連結器と接続する盤側電気連結器を備えるともに右側に遊技主体ロック部材と係合可能な取付部を備えたことを特徴とするパチンコ機。
【請求項２】
枠側電気連結器と盤側電気連結器とが互いに弾性体の弾性で互いに押し合って接触する構造であることを特徴とする請求項１記載のパチンコ機。
【請求項３】
遊技主体収納構造体が遊技盤の下面を搭載する遊技主体棚を備え、遊技盤が遊技主体収納構造体に収納された場合、遊技盤の下面が遊技主体棚の上に接触して搭載され、枠側ヒンジの支持部と盤側ヒンジの支持部とが互いに上下方向に離れる構造であることを特徴とする請求項１記載のパチンコ機。
【請求項４】
遊技主体ロック部材が回転操作し得るロック操作体を備え、取付部がロック操作体を挿入係合可能なロック挿入孔を備えたことを特徴とする請求項１記載のパチンコ機。
【発明の詳細な説明】
【技術分野】
【０００１】
本発明は、遊技機枠の電気部品と遊技盤の電気部品との接続が正確なパチンコ機に関する。
【背景技術】
【０００２】
パチンコ機は、パチンコ店の島と呼ばれる遊技機設置構造体に取り付けられる遊技機枠に、球の飛び交う遊技領域および入賞部品や演出部品の設けられた遊技盤を、取り付ける場合、遊技盤を遊技機枠の内部で左右方向に横移動するで、遊技機枠に設けられたコネクタと遊技盤に設けられたコネクタとを接続する構造である。しかしながら、パチンコ機にあっては、遊技機枠のコネクタと遊技盤のコネクタとの互いに嵌め合うコネクタピンの個数が多く、入賞部品や演出部品の設けられた遊技盤を遊技機枠の内部で横移動する場合、遊技盤ががたつき、遊技機枠のコネクタピンと遊技盤のコネクタピンとの全部を容易に嵌め合わせることができないという欠点がある。
【特許文献１】特開平８−１７３６１５号公報
【発明の開示】
【発明が解決しようとする課題】
【０００３】
発明が解決しようとする問題点は、遊技機枠における個数の多いコネクタピンと遊技盤における個数の多いコネクタピンとの全部を容易に嵌め合わせることができないという点である。
【課題を解決するための手段】
【０００４】
本発明のパチンコ機は、電気部品を設けた遊技機枠における遊技主体収納構造体が左側に枠側ヒンジおよび枠側電気連結器を備えるとともに右側に遊技主体ロック部材を備え、電気部品を設けた遊技盤が左側に枠側ヒンジと嵌め合わされる盤側ヒンジおよび枠側電気連結器と接続する盤側電気連結器を備えるともに右側に遊技主体ロック部材と係合可能な取付部を備えたことを最も主要な特徴とする。枠側電気連結器と盤側電気連結器とが互いに弾性体の弾性で互いに押し合って接触する構造であったり、遊技主体収納構造体が遊技盤の下面を搭載する遊技主体棚を備え、枠側ヒンジの支持部と盤側ヒンジの支持部とが互いに上下方向に離れる構造であったり、遊技主体ロック部材が回転操作し得るロック操作体を備え、取付部がロック操作体を挿入係合可能なロック挿入孔を備えたりすることも特徴とする。
【発明の効果】
【０００５】
本発明のパチンコ機は、枠側ヒンジと盤側ヒンジとが嵌め合わされ、遊技盤が遊技主体収納構造体の方に枠側ヒンジと盤側ヒンジとを回転中心として移動し、遊技主体ロック部材が遊技盤の取付部に係合することで、コネクタと電極とが互いに接続し、遊技盤が遊技機枠に取り付けられた枠側ヒンジと盤側ヒンジとの嵌め合いによって、遊技盤が遊技枠に正確な位置で取り付けられることによって、枠側電気連結器と盤側電気連結器とが互いに正確に接続されるという利点がある。枠側電気連結器と盤側電気連結器とが互いに弾性体の弾性で互いに押し合って接触する構造であれば、枠側電気連結器と盤側電気連結器とが互いに一層正確に接続されるという利点がある。遊技主体収納構造体が遊技盤の下面を搭載する遊技主体棚を備え、遊技盤が遊技主体収納構造体に収納された場合、遊技盤の下面が遊技主体棚の上に接触して搭載され、枠側ヒンジの支持部と盤側ヒンジの支持部とが互いに離れる構造であれば、遊技機枠に対する遊技盤の上下方向の位置が正確になるという利点がある。遊技主体ロック部材が回転操作し得るロック操作体を備え、取付部がロック操作体を挿入係合可能なロック挿入孔を備えれば、遊技盤の着脱を容易に行うことができるという利点がある。
【発明を実施するための最良の形態】
【０００６】
図１−図４は、第１実施形態である。図１は、パチンコ機の遊技機枠１と遊技盤３５とを分解して示す。図２は、パチンコ機の電気系統を示す。図３は、枠側ヒンジ２３と盤側ヒンジ４４とを嵌め合わせた形態を模式的に示す。図４は、遊技盤３５が遊技主体収納室２１に収納された形態を模式的に示す。
【０００７】
図１を参照し、パチンコ機の遊技機枠１の前機構および遊技盤３５の裏機構について説明する。遊技機枠１は、固定枠２を備える。固定枠２は、パチンコ店の図外の遊技機設置構造体に取り付けるための外枠と呼ばれるものであって、前後方向に開放された縦長な長方形の空間を囲む額縁形状である。固定枠２には、前枠または中枠と呼ばれる可動枠３が、左側のヒンジ４で前側横方向に片開き可能にかつ着脱可能（交換可能）に取り付けられる。可動枠３は、前後方向に開放された縦長な長方形の空間を囲む額縁形状の可動枠本体５と、可動枠本体５から内部に延設された遊技主体収納構造体６とを備える。可動枠本体５には、パネル枠７および球皿構造体８が左側に設けられるヒンジ９で前側横方向に片開き可能に取り付けられる。パネル枠７は、前後方向に開放された窓１０を囲む額縁形状である。パネル枠７の裏面には、ガラスまたは合成樹脂からなる光透過性を有する前面パネル１１が、窓１０を覆う格好で取り付けられる。可動枠本体５の右縦片には施錠装置１２と複数のロック機構１３；１４およびロック解除操作体１５が設けられる。球皿構造体８の前面には、球収納部１７および発射操作機構１８を備える。球収納部１７は、遊技に使用する球を受ける上方に開放された形態である。球皿構造体８の裏面には、前横樋３１から球を球収納部１７に供給する球取入口１９と、球収納部１７から発射機構２８に球を供給する球供給口２０とを備える。
【０００８】
可動枠３やパネル枠７および球皿構造体８が閉じられてロック機構１３；１４で開閉不能に支持された状態において、遊技店の店員が図外のキープレート（鍵）を遊技機枠１の前側から施錠装置１２の鍵穴１６に挿入し、当該キープレートを例えば右側に９０度回転操作すると、固定枠２と可動枠３とのロック機構１３による支持形態が解除される。この支持形態の解除後に、店員が可動枠３を前側に引くことによって、可動枠３はヒンジ４を回転中心として前側に片開きされる。また、上記施錠装置１２の鍵穴１６に挿入されたキープレートが例えば左側に９０度回転操作されると、可動枠３とパネル枠７とのロック機構１３による支持形態が解除される。この支持形態の解除後に、店員がパネル枠７を前側に引くことによって、パネル枠７はヒンジ９を回転中心として前側に片開きされる。このように、パネル枠７が前側に開かれた状態において、店員が可動枠３の前面に設けられたロック解除操作体１５を操作すると、可動枠３と球皿構造体８とのロック機構１４による支持形態が解除される。この支持形態の解除後に、店員が球皿構造体８を前側に引くことによって、球皿構造体８はヒンジ９を回転中心として前側に片開きされる。
【０００９】
遊技主体収納構造体６は、前側に開放された遊技主体収納室２１と、遊技主体収納室２１の立壁に前後方向に貫通する中央開口部２２とを備える。遊技主体収納室２１の左側部には、遊技盤３５を取り付ける枠側ヒンジ２３およびコネクタ２４を備える。枠側ヒンジ２３は、遊技主体収納室２１の左側部に固定的に取りけられたヒンジ躯体の前側に折り曲げられた支持部２３ａから上方に突出したヒンジピン２３ｂを備えた構造である。遊技主体収納室２１の右側部には、遊技主体ロック部材２５を備える。遊技主体ロック部材２５は、遊技主体収納構造体６から前側に突出する円筒状の台座の中心にロック操作体２６を回転可能に備える。ロック操作体２６は、台座から前側に突出した操作軸の端部に固定された横長な形態である。遊技主体収納構造体６における遊技主体収納室２１よりも下部における前面には、遊技主体棚２７を備える。遊技主体棚２７から下方に延設された遊技主体収納構造体６における前壁の前面には、発射機構２８、発射レール２９、ファール球取入口部３０、前横樋３１を備える。発射レール２９は、球皿構造体８の球供給口２０から供給された１個の球を受け取る。発射機構２８は、電力供給と遮断とを交互に受けることによって、球収納部１７から発射レール２９に供給された１個の球を遊技盤３５の遊技領域に向けて発射する。発射レール２９は、発射機構２８から発射された球を、遊技盤３５における図３に示す発射通路７４の入口に誘導する。ファール球取入口部３０は、遊技盤３５の発射通路７４から落下する球を取り込む。ファール球取入口部３０に取り込まれた球は、前横樋３１を経由して球取入口１９に排出される。前横樋３１は、可動枠３の裏部に取り付けられた図外の払出機構から払い出された球を球取入口１９に排出する。コネクタ２４は、枠側電気連結器を構成するものであって、スプリングコネクタにより形成される。スプリングコネクタは、合成樹脂のような電気絶縁材からなるコネクタボディに導電材からなる可動電気端子を構成するコネクタピン７８と図外の固定電気端子とが対として設けられ。コネクタボディの内部に可動電気端子の後端部と固定電気端子の後端部とを互いに向き合う格好で露出する内部空間が存在し、この内部空間にコネクタピン７８の後端部と固定電気端子の後端部とに接触する導電性の有るコイルスプリングのような図外の弾性体が格納され、弾性体がコネクタピン７８の先端部をコネクタボディから外側に押し出した構造であって、コネクタピン７８が遊技盤３５の電極４２から押されるのに伴い、弾性体が圧縮し、コネクタピン７８と電極４２とが弾性体の弾性で互いに押し合って接触する。
【００１０】
パチンコ機の遊技盤３５は、裏面に、セット板と呼ばれる部品取付構造体３６を備える。部品取付構造体３６は、遊技盤３５の前面の図３に示す外レール７１および内レール７２からなるガイドレールで囲まれた内側の遊技領域７３に設けられた図外の入賞部品に取り込まれた後に当該入賞部品から遊技盤３５の裏側に排出された球を、下方に誘導して排出する。遊技盤３５の裏側には、遊技盤３５の前面に設けられた遊技部品の裏機構が、遊技盤３５に形成された図外の逃孔や部品取付構造体３６に形成された逃孔３７を経由して突出する。遊技盤３５の裏側に突出した裏機構を有する遊技部品は、複数の図柄表示器３８；３９、可動部品４０、図外の複数の入賞部品、図外のサイドランプなどである。図柄表示器３８は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５５を備える。図柄表示器３９は、遊技領域の右側下部に設けられ、複数の図柄の印刷された図柄表示体をステップモータで回転する構造であって、裏機構としてステップモータを備える。部品取付構造体３６の裏面には、可撓性配線４１と盤側ヒンジ４４と主制御装置５３および複合制御装置５４が設けられる。
【００１１】
可撓性配線４１は、遊技盤３５に設けられた電気部品と遊技機枠１に設けられた電気部品とを接続する多数本の箔形状の電線および箔形状の電極４２が、可撓性を有する合成樹脂基板の表面に付設された構造である。可撓性配線４１の電極４２の設けられた部分が、盤側電気連結器を構成する。盤側電気連結器の電気端子を形成する電極４２は、コネクタ２４のコネクタピン７８と対応する個数のラウンドと呼ばれ、各電極４２からは上記箔形状の電線が個別に延設される。電線の表面は、レジスト膜のような電気絶縁材で被覆され、人の接触から保護される。可撓性配線４１は、縦片部の上下部から左側に延設した上下横片部とからなる形状である。可撓性配線４１の縦片部は、部品取付構造体３６における逃孔３７より右部分の裏面と対応する部分であって、当該縦片部の右端部には、電極４２が互いに離れた形態で配置され、当該縦片部から左側に延長した延設部には、図柄制御装置５５が接続される。可撓性配線４１の上横片部は、部品取付構造体３６における逃孔３７より上部分の裏面と対応する部分であって、当該上横片部には、主制御装置５３が接続される。当該横片部から下方に延長した延設部には、可動部品４０の駆動源が接続される。可撓性配線４１の上横片部は、部品取付構造体３６における逃孔３７より上部分の裏面と対応する部分であって、当該上横片部には、主制御装置５３が接続される。当該横片部から下方に延長した延設部には、可動部品４０の駆動源が接続される。可撓性配線４１の下横片部は、部品取付構造体３６における逃孔３７より上部分の裏面と対応する部分であって、当該下横片部の右下部には、複合制御装置５４が接続され、当該下横片部の左端部には、図柄表示器３０の駆動源が接続され、当該下横片部から下方に延長した延設部には、可変入賞部品の駆動源が接続される。主制御装置５３は、制御に必要な電気部品の実装された回路基板を１つの制御装置筐体の内部に装着した構造であって、回路基板の電気部品を実装した板面が、遊技盤３５の裏面と直交する格好で、かつ、制御装置筐体の厚さが遊技盤３５の上下方向となる格好で、遊技盤３５の裏面に対して取り付けられる。複合制御装置５４は、制御に必要な電気部品の実装された回路基板を１つの制御装置筐体の内部に装着した構造であって、回路基板の電気部品を実装した板面が、遊技盤３５の裏面と直交する格好で、かつ、制御装置筐体の厚さが遊技盤３５の左右方向となる格好で、遊技盤３５の裏面に対して取り付けられる。
【００１２】
盤側ヒンジ４４は、遊技盤３５に固定的に取りけられたヒンジ躯体の前側に折り曲げられた支持部４４ａに上下方向に貫通するヒンジ孔４４ｂを備えた構造である。ヒンジ孔４４ｂはヒンジピン２３ｂとがたつくことなく回転可能に嵌め合わされる整合孔である。遊技盤３５の盤側ヒンジ４４と反対側の側部には、取付部４５を備える。取付部４５にはロック挿入孔４６を備える。そして、図３のａ図にも示すように、遊技盤３５の前面が前側に向けられ、遊技盤３５の盤側ヒンジ４４の設けられた片側が遊技機枠１の前側から遊技主体収納室２１に挿入され、盤側ヒンジ４４のヒンジ孔４４ｂが枠側ヒンジ２３のヒンジピン２３ｂに上方から挿入されると、上下における盤側ヒンジ４４の支持部４４ａの少なくとも一方が枠側ヒンジ２３の支持部２３ａの上に接触して重ね合わされ、遊技盤３５が遊技機枠１に盤側ヒンジ４４と枠側ヒンジ２３とを回転中心として回転可能に取り付けられる。図３のｂ図にも示すように、遊技主体棚２７は、後側から前側に行くにしたがって徐々に下る斜面になった受入部２７ａと、受入部２７ａから後側に水平な平坦面として延長した棚主体２７ｂとを備える。そして、上記ように、支持部４４ａが支持部２３ａの上に載った場合、遊技盤３５の下面は、遊技主体棚２７の受入部２７ａにおける前縁部２７ｃより上方に位置するものの棚主体２７ｂよりも下方に位置する。
【００１３】
その後、図４のａ図およびｂ図にも示すように、遊技盤３５が遊技機枠１の方に押されると、遊技盤３５の下面が遊技主体棚２７の受入部２７ａから棚主体２７ｂへと滑走して棚主体２７ｂの上に前側から搭載される。このように、遊技盤３５が遊技主体棚２７の上に搭載されるのに伴い、遊技盤３５が上方に移動し、盤側ヒンジ４４の支持部４４ａが図４のａ図に示すように枠側ヒンジ２３の支持部２３ａから上方に離れる。つまり、ヒンジピン２３ｂとヒンジ孔４４ｂとの嵌め合いによって、遊技盤３５が遊技主体収納室２１に対し左右および前後に位置をずれることなく、遊技盤３５の遊技主体棚２７への搭載によって、遊技盤３５が遊技主体収納室２１に対し上下に位置をずれることなく、遊技盤３５が正確な位置に収納される。さらに、遊技盤３５が遊技機枠１の方に押されるのに伴い、遊技主体ロック部材２５のロック操作体２６が遊技盤３５の取付部４５のロック挿入孔４６に後側から挿入されて前側に突出する。その状態において、作業者がロック操作体２６を例えば右方向に９０度回転操作すると、ロック操作体２６が図４のａ図に示すようにロック挿入孔４６の周りにおける取付部４５と係合し、遊技盤３５が遊技主体収納室２１に取り付けられる。このように、遊技盤３５が遊技主体収納室２１に取り付けられることによって、図１に示すコネクタ２４のコネクタピン２３ａと遊技盤３５の電極４２との全部が、互いに接続する。遊技盤３５が取り付けられた後、球皿構造体８およびパネル枠７が閉じられる。これによって、パチンコ機が構成される。このパチンコ機は、遊技盤３５が遊技機枠１の内部に格納され、遊技盤３５の前側がパネル枠７で覆われ、遊技盤３５の遊技領域が遊技機枠１の前側から前面パネル１１を通して視認し得る形態である。上記説明では、図１が皿構造体８およびパネル枠７が開いた形態であるので、球皿構造体８およびパネル枠７を閉じた。しかしながら、遊技盤３５を交換する場合、皿構造体８を閉じたまま、パネル枠７だけを開閉することによって、遊技盤３５を遊技機枠１の内部に格納することはできる。
【００１４】
図２を参照し、パチンコ機の電気系統について説明する。主制御装置５３と複合制御装置５４と図柄制御装置５５および発射払出制御装置５６のそれぞれに格納されたマイクロコンピュータが電力供給を受けて起動し、図柄制御装置５５が画像制御信号を図柄表示器３８を駆動し、図柄表示器３８が図柄制御信号に対応する画像を表示する。主制御装置５３には、入力機器と出力機器とが配線で接続される。主制御装置５３の入力機器は、入賞球検出器５８、払出機構のタンクの側に球切れの発生があることを検出する球切れ検出器６４、払出機構の球皿構造体８の側に球が満タンであることを検出する満タン検出器６５である。入賞球検出器５８には、例えば、一般入賞球検出器、作動入賞球検出器、始動入賞球検出器、普通入賞球検出器、特別入賞球検出器などがある。主制御装置５３の出力機器は、入賞部品駆動源５９と遊技店の管理を行うホールコンピュータ６０である。入賞部品駆動源５９には、図１に示す可動部品４０の駆動源、図１に示す図柄表示器９のステップモータ、入賞部品における電動チューリップの駆動源、入賞部品における可変入賞部品の駆動源などがある。複合制御装置５４は、主制御装置５３と配線で接続される。複合制御装置５４には、表示灯６１やスピーカ６２、演出部品駆動源５７などの出力機器が配線で接続される。表示灯６１は、遊技機枠１の前部または遊技盤３５の前部に設けられ、点灯、点滅、消灯で遊技演出を行う部品である。スピーカ６２は遊技機枠１に設けられて音で遊技演出を行う部品である。演出部品駆動源５７は、動くことによって演出効果を高めるために遊技盤３５の前面に設けられた演出部品を駆動する部品である。
【００１５】
発射払出制御装置５６は、主制御装置５３と配線で接続される。発射払出制御装置５６には、入力機器と出力機器とが配線で接続される。発射払出制御装置５６の入力機器は、払出機構の払い出される球を検出する払出球検出器６３、球切れ検出器６４、発射操作機構１８の球の発射を停止するための発射停止検出器６７と発射操作機構１８への遊技者による操作量を可変抵抗値として出力する可変抵抗器６８および発射操作機構１８への遊技者の接触を検出する接触検出器６９である。発射払出制御装置５６の出力機器は、払出機構の球を払い出す動作を行ったり停止したりする払出駆動源６６、発射機構２８の発射駆動源７０である。この場合、主制御装置５３、複合制御装置５４、図柄制御装置５５、遊技機枠１に設けられた発射払出制御装置５６、入賞球検出器５８、図柄表示器３９、遊技盤３５に設けられた演出部品駆動源５７、遊技盤３５に設けられた入賞部品駆動源５９、ホールコンピュータ６０、遊技盤３５に設けられた表示灯６１、遊技盤３５に設けられたスピーカ６１、遊技機枠１に設けられた払出球検出器６３、遊技機枠１に設けられた球切れ検出器６４、遊技機枠１に設けられた満タン検出器６５のそれぞれを接続する配線が図１に示す可撓性配線４１に付設された箔形状の配線で構成される。図２における結合子Ｄは互いに接続される。
【００１６】
実施形態によれば、遊技機枠１における遊技主体収納構造体６が、左側に枠側ヒンジ２３およびコネクタ２４を備えるとともに右側に遊技主体ロック部材２５を備え、遊技盤３５が、左側に枠側ヒンジ２３と嵌め合わされる盤側ヒンジ４４およびコネクタ２４と接続する電極４２を備えるともに右側に遊技主体ロック部材２５と係合可能な取付部４５を備えた構造であるので、枠側ヒンジ２３のヒンジピン２３ｂと盤側ヒンジ４４のヒンジ孔４４ｂとの嵌め合いと、遊技盤３５の遊技主体棚２７への搭載とによって、遊技盤３５が遊技主体収納室２１に正確な位置で収納されるので、遊技機枠１における個数の多いコネクタピン７８と遊技盤３５のおける個数の多い電極４との全部が、互いに、正確に、接続されるという利点がある。しかも、枠側電気連結器を構成するコネクタ２４と盤側電気連結器の電極４２とが、枠側ヒンジ２３と盤側ヒンジ４４とにより遊技機枠１と遊技盤３５との回転中心部を構成する部材の側に配置されているので、コネクタ２４と電極４２とを遊技主体ロック部材２５と取付部４５との側に配置した場合に比べ、コネクタピン７８と電極４との全部が、互いに、一層、正確に、接続されるという利点がある。枠側電気連結器がスプリングコネクタからなるコネクタ２４で構成され、コネクタ２４のコネクタピン７８がスプリングコネクタの弾性体の弾性で盤側電気連結器の電極４２に互いに押し合って接触する構造であるので、枠側電気連結器の電気端子と盤側電気連結器の電気端子とが互いに遊技機枠１と遊技盤３５とに固定された場合に比べ、コネクタピン７８と電極４との全部が、互いに、一層、正確に、接続されるという利点がある。遊技盤３５が遊技主体収納室２１に収納された場合、遊技盤３５の下面が遊技主体棚２７の上に接触して搭載され、枠側ヒンジ２３の支持部２３ａと盤側ヒンジ４４の支持部４４ａとが互いに離れる構造であるので、遊技機枠１に対する遊技盤３５の上下方向の位置が正確になるという利点がある。遊技主体ロック部材２５が回転操作し得るロック操作体２６を備え、取付部４５がロック操作体２６を挿入係合可能なロック挿入孔４６を備えた構造であるので、遊技盤３５の着脱を容易に行うことができるという利点がある。
【００１７】
図５は第２実施形態に係る遊技盤３５を遊技機枠１に取り付ける初期形態を示す。この初期形態は、遊技盤３５の前面が前側に向けられ、遊技盤３５の盤側ヒンジ４４の設けられた片側が遊技機枠１の前側から遊技主体収納室２１に挿入され、盤側ヒンジ４４のヒンジ孔４４ｂが枠側ヒンジ２３のヒンジピン２３ｂに上方から挿入された場合、下側に位置する盤側ヒンジ４４のヒンジ孔４４ｂが下側に位置する枠側ヒンジ２３のヒンジピン２３ａの先端部に挿入された時点においても、上側に位置する盤側ヒンジ４４のヒンジ孔４４ｂが上側に位置する枠側ヒンジ２３のヒンジピン２３ａの先端部に挿入されていない形態である。つまり、盤側ヒンジ４４の遊技盤３５への上下方向の取付位置、または、枠側ヒンジ２３の遊技機枠１への上下方向の取付位置を上記のような形態となるように設定すれば、枠側ヒンジ２３と盤側ヒンジ４４との上下双方が同時に嵌合する構造に比べ、下側の枠側ヒンジ２３と下側の盤側ヒンジ４４とが嵌合したことで、上側の枠側ヒンジ２３と上側の盤側ヒンジ４４との嵌合作業が容易になるという利点がある。上側の枠側ヒンジ２３と上側の盤側ヒンジ４４とを先に嵌合し、下側の枠側ヒンジ２３と下側の盤側ヒンジ４４とを後から嵌合してもよいが、第２実施形態のように、下側の枠側ヒンジ２３と下側の盤側ヒンジ４４とを先に嵌合し、上側の枠側ヒンジ２３と上側の盤側ヒンジ４４とを後から嵌合した方が、遊技盤３５の遊技機枠１への取付作業が、一層、容易であるという利点がある。その理由は、遊技機枠１がパチンコ店の遊技機設置構造体に固定された状態で、遊技盤３５を遊技機枠１に取り付ける場合、下側の枠側ヒンジ２３と下側の盤側ヒンジ４４との嵌合位置が、上側の枠側ヒンジ２３や上側の盤側ヒンジ４４よりも、作業者の目の高さに近いからである。
【００１８】
図３−図５では、ヒンジピン２３ｂとヒンジ孔４４ｂとが互いに嵌め合わされた場合において、ヒンジピン２３ｂとヒンジ孔４４ｂとの間に隙間が形成されているように図示したが、それは、ヒンジピン２３ｂとヒンジ孔４４ｂとを読み手に明確に認識してもらいたいがための配慮であって、ヒンジピン２３ｂとヒンジ孔４４ｂとが互いに嵌め合わされることでがたつくことのないように整合するので、ヒンジピン２３ｂとヒンジ孔４４ｂとが互いに接触しているものの回転可能な形態である図３−図５において、符号７５は遊技盤３５の前面に取り付けられた盤面飾りであり、符号７６は発射通路７４の出口において内バンド７２に取り付けられた球戻り防止弁であり、符号７７は遊技盤３５に設けられたアウト口である。
【産業上の利用可能性】
【００１９】
コネクタ２４が遊技盤３５に設置され、電極４２が遊技機枠１に設置された構造であってもよい。発射払出制御装置５６は、１つの制御装置筐体の内部に、発射制御に必要な電気部品の実装された回路基板と、払出制御に必要な電気部品の実装された回路基板とが互いに分離された形態で装着されて構造であっても、発射制御に必要な電気部品の実装された回路基板を１つの制御装置筐体の内部に装着し、払出制御に必要な電気部品の実装された回路基板を別の１つの制御装置筐体の内部に装着した構造であってもよい。この別々の制御装置筐体とした場合、発射制御に必要な電気部品の実装された回路基板を有する制御装置筐体の方は、発射制御装置となり、払出制御に必要な電気部品の実装された回路基板を有する制御装置筐体の方は、払出制御装置となる。主制御装置５３に置換して複合制御装置５４またはそれ以外の遊技盤３５の裏面に設ける部品を取り付けてもよい。可動枠本体５と遊技主体収納構造体６とが別々の材料から構成されたものを結合するか、または、可動枠本体５と遊技主体収納構造体６とが合成樹脂により単一構造体として形成してもよい。また、前述の説明で、遊技主体収納構造体６に取り付けたものは、可動枠３に取り付けたものと認識できることは明らかであろう。
【図面の簡単な説明】
【００２０】
【図１】パチンコ機を示す分解斜視図（第１実施形態）。
【図２】パチンコ機の電気系統を示すブロック図（第１実施形態）。
【図３】ａ図は枠側ヒンジと盤側ヒンジとの嵌合形態を示す模式図、ｂ図はａ図のＡ−Ａ線断面図（第１実施形態）。
【図４】ａ図は遊技盤の遊技主体収納室への収納形態を示す模式図、ｂ図はａ図のＢ−Ｂ線断面図（第１実施形態）。
【図５】遊技盤を遊技機枠に取り付ける初期形態を示す模式図（第２実施形態）。
【符号の説明】
【００２１】
１    遊技機枠
６    遊技主体収納構造体
２３  枠側ヒンジ
２４  枠側コネクタ
２５  遊技主体ロック部材
２６  ロック操作体
３５  遊技盤
４２  電極
４３  盤側ヒンジ
４５  取付部
４６  ロック挿入孔
【図１】
2005185447.tif 000003
【図２】
2005185447.tif 000004
【図３】
2005185447.tif 000005
【図４】
2005185447.tif 000006
【図５】
2005185447.tif 000007